(57)【要約】【課題】他のゴルフクラブと共にゴルフバッグに収納されるパターヘッドの保持部を高さ調節可能に構成し、当該パターヘッドを他のクラブヘッドとの干渉を回避可能な縦方向の空間部位に保持することでクラブ使用上の取扱いを向上することができるゴルフバッグ用パター保持具を提供する。【解決手段】軽金属製の棒材上端部を略水平方向円弧状に形成してパターヘッドを懸吊保持するヘッド保持部１２を備えた垂直支持軸１０と、樹脂成型された所定厚みを有する矩形部材の上面端部に垂直支持軸１０を挿通保持する挿通孔８ａを形成すると共に下面他端部に開口する縦溝を装着手段９として挿通孔８ａに沿って設けた保持体８とから構成され、垂直支持軸１０は、ゴルフバッグ内の隔壁上端に装着手段９を介して装着された保持体８に対し挿通孔８ａの摩擦力により保持されるように構成される。【選択図】図２
0003201226.tif 000002
【実用新案登録請求の範囲】
【請求項１】
軽金属製の棒材上端部を略水平方向円弧状に形成してパターヘッドを懸吊保持するヘッド保持部を備えた垂直支持軸と、樹脂成型された所定厚みを有する矩形部材の上面端部に前記垂直支持軸を挿通保持する挿通孔を形成すると共に下面他端部に開口する縦溝を装着手段として前記挿通孔に沿って設けた保持体とから構成され、
前記垂直支持軸は、ゴルフバッグ内の隔壁上端に前記装着手段を介して装着された保持体に対し前記挿通孔の摩擦力により保持されることを特徴とするゴルフバッグ用パター保持具。
【請求項２】
前記保持体は、矩形部材の挿通孔に近接する上面他端部にネジ穴が穿設され、前記装着手段は、上端の顎部に長孔を設けると共に該顎部から下方に折曲して成る帯状のバネ鋼板で押圧片を構成し、前記長孔を通してネジ穴に螺着された押圧片を保持体の側面に対し移動可能に構成したことを特徴とする請求項１に記載のゴルフバッグ用パター保持具。
【請求項３】
前記保持体は、矩形部材の片側面に前記前記挿通孔に連通する縦方向のスリットを形成し、前記スリットの一部にスリット間を締結する締結手段を設けると共に前記矩形部材の他側面に装着手段を設けて成り、前記装着手段は、前記保持体の上部他側面に形成した突出部にコイルバネを介して上方側面を搖動可能に軸支すると共に当該軸支部の下方には前記コイルバネによってゴルフバッグ内の隔壁を圧接する押圧部を設けたことを特徴とする請求項１又は２に記載のゴルフバッグ用パター保持具。
【請求項４】
前記垂直支持軸は、少なくともゴルフバッグの高さに対応する既存の規定長さを有し各ゴルフクラブのシャフトを挿通保持する樹脂製網目状の円筒型クラブプロテクターで構成され、前記保持体は、前記円筒型クラブプロテクターを外装すべく円筒状に樹脂成型されて縦方向にスリットを形成すると共に、該スリットの対向端部には掛脱可能な掛止片を  夫々備え前記スリットに対向する円筒外周面には装着手段が形成されて成り、前記保持体の内周面には前記円筒型クラブプロテクター外周の網目に係脱可能な複数の爪部を突設したことを特徴とする請求項１に記載のゴルフバッグ用パター保持具。
【請求項５】
前記垂直支持軸は、樹脂製網目状の円筒型クラブプロテクターであって、既存の規定長さに対し上端までの全長が少なくともゴルフバッグ収納時の最長アイアンのヘッドより高く且つドライバーヘッドより低い高さで形成されることを特徴とする請求項４に記載のゴルフバッグ用パター保持具。
【考案の詳細な説明】
【技術分野】
【０００１】
本考案は、複数本のゴルフクラブを収容するゴルフバッグ内にパターヘッドを特定の高さに保持するようにしたゴルフバッグ用パター保持具に関する。
【背景技術】
【０００２】
ゴルフバッグは、複数本の各種ゴルフクラブを収容して運搬するバッグとして多くのプレイヤーに使用されている。
ところで、ゴルフバッグの内部には隔壁で仕切られた区画内に１４本のゴルフクラブが種類別（ドライバー、アイアン、パター等）に区分けして収容されている。
【０００３】
最近では、これらのゴルフクラブは市販されている樹脂製網目状の円筒クラブプロテクター内にシャフトを挿通してゴルフバッグの区画内に区分けして整列収容できるようになっている。
一定長さで形成されるクラブプロテクター内に収容されるアイアンやドライバー等は、番手毎にシャフト長さが異なることから上端開口からは各種アイアンヘッドが変則的な高さで突出している。また、各種クラブヘッドの大半にはヘッドカバーが被着されるためゴルフバッグ内の空間が更に狭くなり各種クラブの出し入れ作業が煩雑になっている。
【０００４】
特に最近のパターヘッドは、大型化する傾向になっており、ゴルフバッグのサイズも制限される中でパターヘッドの占有する面積が大きくなると周囲に密接配置される各種アイアンヘッドは、大型パターヘッドの上部近傍を覆うように収納されているので、パターを取出す際にパターヘッドがアイアンヘッドと干渉してパターやアイアンの取り扱いに支障を来す問題が生じている。
【０００５】
例えばアイアンクラブが収納されている状態で、大型ヘッドを持つパターを上方からゴルフバッグ内に収納する場合は、当該パターヘッドが周囲に配置されている何れかのアイアンヘッドに掛止されたまま保持されてしまう問題がある。
また、アイアンクラブと共に収納されているパターを収納位置から取り出す際は、当該パターヘッドが密接状態で収納されているアイアンヘッドと干渉するため取り出し難くなる難点を有していた。
【０００６】
このようパターやアイアンクラブを使用する際に、大型のパターヘッドとの干渉を回避できるようにしたパター専用立てが装着されたゴルフバッグが提案されている（例えば特許文献１参照）。
このゴルフバッグに装着される専用のパター専用立ては、パターヘッドが他のゴルフクラブのヘッドに対して上下方向に離隔して縦方向の空間を形成し当該空間にパターヘッドを保持できるようにしたもので、区画壁を有する上部基台をゴルフバッグの上端開口部に配置すると共に該上部基台をゴルフバッグ内底部に装着した下部基台上に本体フレームを介して支持する構成となっている。
【０００７】
一方、上記文献１の他の実施例には既存のゴルフバッグの内部隔壁に圧持してパターヘッドを高さ調節可能に挿通保持することができるようにしたパター専用立てが開示されている。このパター専用立ては、軟性素材（ポリウレタン等）で円筒状に形成され外周に複数の掛止凹部(リング溝)を設けたパター立て管と、内周に前記掛止凹部と締結可能な掛止突条を設けると共に外側面にゴルフバッグ内部の隔壁上端に圧持する固定クリップを備えた固定具とから構成されている。
【０００８】
このパター立て管は、掛止凹部と掛止突条との締結によって前記固定具に保持され、締結の解除によって高さ方向の調節ができるように構成されている。
このようにパター立て管に挿通保持されたパターは、固定具に対し前記パター立て管の高さを調節することでパターヘッドは、周囲に配置されるアイアンヘッドやドライバーヘッドの略中間位置に形成される空間部位に設定されるようになっている。
【０００９】
更に特許文献２には、数本のゴルフクラブをセットとして収納し、これをゴルフバッグ本体から取り出して持ち運びできるようにしたクラブケースが開示されている。
このクラブケースは、ゴルフバッグ内部の仕切り片に掛止できる掛止部（フック）を設けパタークラブをグリーン周り専用のクラブ数本と共に収容できるように構成されており、このクラブケースをグリーン周りで使用することでゴルフプレーをスムーズに進行できるようにしたものである。
【先行技術文献】
【特許文献】
【００１０】
【特許文献１】特開２００７−２３６４８７号公報
【特許文献２】特開２０１５−０１９７７４号公報
【考案の概要】
【考案が解決しようとする課題】
【００１１】
ところが特許文献１に係るゴルフバッグは、専用のパター専用立てをゴルフバッグに装着した専用のゴルフバッグとして構成したもので、ゴルフバッグに収納されるクラブ配置が固定化されてしまうため、クラブの種類、形状、大きさ、個数等の変化への自由度が制限されるだけでなく、コスト高になる問題を有している。
また、特許文献１の他の実施例に記載されるパター専用立て管は、軟性素材（ポリウレタン等）を使用しているものの固定具は径方向に開閉できない円筒構造となっている。    このため高さを調節する際に掛止突条と掛止凹部との締結を解除するには、前記パター立て管に固定具の掛止突条を変形させる程度の強い外力を軸方向に与えなければ簡単には高さ調節ができない。
逆に、軽い力で締結状態を解除させるために掛止突条の変形量を少なくすると、締結状態が簡単に解除されるので運搬中の軽い振動でも容易に離脱して滑り落ちてしまう難点があり、何れにしても確実かつ容易に高さ調節ができない問題点を有している。
【００１２】
また、特許文献２に記載されるクラブケースは、複数本のゴルフクラブをセットとして収納し、これをゴルフバッグ本体から取り出して持ち運びできるようにしたものである。
しかしながら大型ヘッドのパターをショートアイアン等と共にクラブケースに収容すると当該ヘッドがアイアンの出し入れ時に支障を来す問題が生ずる。
【００１３】
本考案は、上述した事情に鑑みてなされたもので、他のゴルフクラブと共にゴルフバッグに収納されるパターヘッドの保持部を高さ調節可能に構成し、当該パターヘッドを他のクラブヘッドとの干渉を回避可能な縦方向の空間部位に保持することでクラブ使用上の取扱いを向上することができるゴルフバッグ用パター保持具を提供することを目的とする。
【課題を解決するための手段】
【００１４】
本考案に係るゴルフバッグ用パター保持具では、上記課題を解決するために以下の手段を採用した。
本考案に係るゴルフバッグ用パター保持具は、軽金属製の棒材上端部を略水平方向円弧状に形成してパターヘッドを懸吊保持するヘッド保持部を備えた垂直支持軸と、樹脂成型された所定厚みを有する矩形部材の上面端部に前記垂直支持軸を挿通保持する挿通孔を形成すると共に下面他端部に開口する縦溝を装着手段として前記挿通孔に沿って設けた保持体とから構成され、前記垂直支持軸は、ゴルフバッグ内の隔壁上端に前記装着手段を介して装着された保持体に対し前記挿通孔の摩擦力により保持されることを特徴とする。
【００１５】
本考案によれば、前記パター保持具は、ゴルフバッグ内の隔壁上端に縦溝下端の開口から装着手段を押し込んで保持体が確実に装着保持される。パターヘッドを懸吊保持する垂直支持軸は、前記保持体の挿通孔に摩擦力によって当該垂直支持軸に係る重力が保持され、パターのヘッド保持部は摩擦力に抗して上下移動させることで他のクラブヘッドとの干渉が回避可能な空間部位に位置するよう適宜調整することができる。
これにより、例えば大型化されたパターヘッドの周囲に各種アイアンやドライバーシャフトが密接状態で収納されていても、当該パターやアイアンクラブの出し入れ時に干渉が回避され、クラブ使用上の取扱いを向上することができる。
【００１６】
前記保持体は、矩形部材の挿通孔に近接する上面他端部にネジ穴が穿設され、前記装着手段は、上端の顎部に長孔を設けると共に該顎部から下方に折曲して成る帯状のバネ鋼板で押圧片を構成し、前記長孔を通してネジ穴に螺着された押圧片を保持体の側面に対し移動可能に構成したことを特徴とする。
これによりパター保持具は、ゴルフバッグ内の隔壁が各種厚みで構成されていても前記装着手段の押圧片を隔壁の厚みに合わせて保持体の側面に対し移動することで隔壁への挟持力を調節することができるので、ゴルフバッグの運搬時に振動が生じてもヘッド保持部が移動することが無くゴルフバッグ内の隔壁にしっかり保持することができる。
【００１７】
前記保持体は、矩形部材の片側面に前記挿通孔に連通する縦方向のスリットを形成し、前記スリットの一部にスリット間を締結する締結手段を設けると共に前記矩形部材の他側面に装着手段を設けて成り、前記装着手段は、前記保持体の上部他側面に形成した突出部にコイルバネを介して上方側面を搖動可能に軸支すると共に当該軸支部の下方には前記コイルバネによってゴルフバッグ内の隔壁を圧接する押圧部を設けたことを特徴とする。
これにより、挿通孔を挿通する垂直支持軸はスリット間を締結する締結手段により確実に締着されると共に、前記保持体は装着手段のコイルバネによって押圧部がゴルフバッグ内の隔壁を強く圧接するので、パター保持具に重量のある大型のパターなどが保持された際にゴルフバッグ運搬時に強い衝撃が生じても確実に装着することができる。しかるに、ヘッド保持部は縦方向の空間部位への位置決めを確保することができる。
【００１８】
前記垂直支持軸は、少なくともゴルフバッグの高さに対応する既存の規定長さを有し各ゴルフクラブのシャフトを挿通保持する樹脂製網目状の円筒型クラブプロテクターで構成され、前記保持体は、前記円筒型クラブプロテクターを外装すべく円筒状に樹脂成型されて縦方向にスリットを形成すると共に、該スリットの対向端部には掛脱可能な掛止片を夫々備え前記スリットに対向する円筒外周面には装着手段が形成されて成り、
前記保持体の内周面には前記円筒型クラブプロテクター外周の網目に係脱可能な複数の爪部を突設したことを特徴とする。
これにより前記垂直支持軸は、既存の円筒型クラブプロテクターを使用することで廉価に製作できるだけでなく確実に保持することができる。
また前記保持体は、スリット部を締結する掛止片を備えているのでパターヘッドの首部を懸吊するクラブプロテクターの頂部を所望の高さに調整してパターヘッドを他のクラブヘッドとの干渉が回避できる空間部位に適宜位置決めすることができる。
【００１９】
前記垂直支持軸は、樹脂製網目状の円筒型クラブプロテクターであって、既存の規定長さに対し上端までの全長が少なくともゴルフバッグ収納時の最長アイアンのヘッドより高く且つドライバーヘッドより低い高さで形成されることを特徴とする。
これにより、クラブプロテクター全長が既存のクラブプロテクター全長に対し、少なくともゴルフバッグ収納時の最長アイアンのヘッドより高く且つドライバーヘッドより低い高さとなるパター専用のクラブプロテクターとして形成されるので、当該クラブプロテクターにパターのシャフトを挿通しただけでパターヘッドがクラブプロテクターの頂部に保持される。
従って、パター専用のクラブプロテクターを使用することでパターヘッドを他のクラブと干渉が回避可能な空間部位に懸吊保持することができ、クラブ使用上の取扱いを向上することができる。
【考案の効果】
【００２０】
本考案によれば、パター保持具はゴルフバッグ内の隔壁上端に保持された保持体の挿通孔に垂直支持軸を重力に抗する摩擦力により挿通保持することで、容易に高さ調節ができるのでパターヘッドを周囲に密接状態で収納されるドライバーヘッドや各種アイアンヘッドに対し干渉が回避できる縦方向の空間部位に保持することができる。
これによりパター保持具は、パターヘッドを他のアイアンヘッド等が密接配置されない縦方向の空間部位に保持することができるので、例え大型化ヘッドを持つターが収納されたとしても当該パターやアイアンクラブの出し入れ時における干渉が回避され、クラブ使用上の取扱いを向上することができる。
また、パター保持具は、ゴルフバッグ内の隔壁が各種厚みで構成されていても前記装着手段が前記保持体の側面に対し適宜移動調節することができるので、ゴルフバッグの運搬時に振動が生じてもガタつかないように汎用ゴルフバッグ内の隔壁にしっかりと保持することができる。
【図面の簡単な説明】
【００２１】
【図１】本考案の第一実施形態に係り、パターヘッドが複数のアイアンクラブ、ドライバーと共に収納された状態を示すゴルフバッグを上面から見た全体斜視図である。
【図２】同じくパター保持具の全体斜視図である。
【図３】同じくパター保持具の分解斜視図であって（ａ）は垂直支持軸の斜視図、（ｂ）は保持体の斜視図である。
【図４】本考案の第二実施形態に係り、（ａ）はパター保持具の全体斜視図、（ｂ）はパター保持具の分解斜視図である。
【図５】本考案の第三実施形態に係り、（a）はパター保持具の平面図、（b）は(a)のＡ−Ａ断面図である。
【図６】同じくパター保持具の分解斜視図である。
【図７】本考案の第四実施形態に係り、パター保持具の部分斜視図である。
【図８】（a）は図７のＡ−Ａ断面図、（ｂ）は図７のＢ矢視図である。
【図９】本考案の第五実施形態に係るゴルフバッグ用パター保持具の全体斜視図である。
【考案を実施するための形態】
【００２２】
以下、本考案の第一実施形態に係るゴルフバッグ用パター保持具について図１〜図３を参照して説明する。
図１はパターヘッドが複数のアイアン、ドライバーと共に収納された状態を示すゴルフバッグを上面から見た全体斜視図、図２はパター保持具の全体斜視図であり、図３（ａ）は垂直支持軸の斜視図、（ｂ）は保持体の斜視図である。
【００２３】
（第一実施形態）
本考案に係るゴルフバッグ用パター保持具（以下パター保持具２０と称する）は、図１に示すようにゴルフバッグ１の内部を区画した隔壁２又は３の上端に装着して保持される保持体８と、該保持体８に高さ調節可能に保持された垂直支持軸１０とから構成され、該垂直支持軸１０の上端にはパター１４のシャフト１５が下方を向くようにパターヘッド１４の首部を懸吊保持するヘッド保持部１２が設けられている。
【００２４】
更に詳しくは、図２及び図３（a）、（ｂ）に示す垂直支持軸１０は、軽金属製（例えばアルミ合金）の丸軸で形成されており、垂直支持軸１０の上端が略水平方向円弧状に湾曲してパターヘッド１４を支持できるサイズに形成され、開放した湾曲端部には傷を防ぐためのゴム状の保護部材１６が装着されている。尚、前記湾曲部は全体が円形を成しており端部に隙間を設けてパター１４のシャフト１５が横方向から抜き出せる構成となっている。
【００２５】
保持体８は、樹脂成型された所定厚みを有する矩形部材の上面端部に垂直支持軸１０を挿通保持する挿通孔８ａを形成すると共に、前記矩形部材の下面他端部に開口する縦溝９ａを前記挿通孔に沿って形成して成る装着手段９が設けられている。
当該縦溝９aは、ゴルフバッグ１内の隔壁２又は３を挟持すべく当該隔壁２又は３の厚みに対応する溝幅で形成されている。また前記挿通孔８aは、垂直支持軸１０に係る重力を相互の摩擦力で保持できる締り嵌合の公差で形成されている。
【００２６】
次に上記のように構成されたパター保持具２０の作用に付き図１〜３を参照して説明する。当該パター保持具２０は、ヘッド保持部１２が上方に位置するように垂直支持軸１０の下端を保持体８の挿通孔８aに挿通した後、装着手段９となる縦溝９aをゴルフバッグ１内部の隔壁２又は３の頂部に押し込むことで装着保持される。
これによりパター保持具２０は、垂直支持軸１０を保持体８に対し挿通孔８aの摩擦力に抗して上下方向に移動し、パターのヘッド保持部１２がゴルフバッグ１に収納したドライバーのヘッド５より低い位置で且つ最長のアイアンヘッド６よりも低い縦方向の空間部位に位置するように高さを調節する。  
【００２７】
かくして、大型化されたパターヘッド１４は、他のアイアンヘッド等との干渉が回避可能な空間部位に保持されるよう適宜調整することができる。
従って、パターヘッドの周囲に各種アイアンやドライバーシャフトが密接状態で収納されていても、当該パターやアイアンの出し入れ時に干渉が回避され、クラブ使用上の取扱いを向上することができる。
【００２８】
（第二実施形態）
次に本考案の第二実施形態に係るゴルフバッグ用パター保持具について図４（a）、（ｂ）を参照して説明する。尚前記第一実施形態と同一構成部分については図を省略し同一符号を用いて説明する。
【００２９】
図４（a）はパター保持具の全体斜視図、（ｂ）はパター保持具の分解斜視図である。
図４（a）、（ｂ）において、本実施形態に係るパター保持具４０は、第一実施形態と略同様に樹脂脂成型された矩形部材から成る保持体３０と、該保持体３０の挿通孔８ａに高さ調節可能に挿通保持された垂直支持軸１０と、前記保持体３０をゴルフバッグ１の隔壁２又は３に装着保持する装着手段３２とから構成されている。
【００３０】
本実施形態の装着手段３２は、前記第一実施形態とは構造のみが若干相違している。すなわち、装着手段３２上端の折曲形成した顎部３１には、長孔３４を設けると共に該顎部３１から下方に折曲して成る帯状のバネ鋼板で押圧片３２ａが構成されている。
装着手段３２は、長孔３４を通して保持体３０の上面他端部に形成されたネジ穴３０ａに螺着したネジ３３によって押圧片３２ａを保持体３０の凹削部３０ｂに対し接近、離反可能に保持している。
装着手段３２は、顎部３１の両側に形成された下向きガイド３５が保持体３０の上面他端部両側面に沿って案内されて押圧片３２ａをその内側に対向する保持体３０片側面の凹削部３０ｂに向けて移動し、ゴルフバッグ１の隔壁２，３を挟んだ状態で装着される。
【００３１】
次いで、パター保持具４０の作用に付き、図４（ａ）、（ｂ）を参照して説明する。
パター保持具４０は、ネジ３３を緩めた状態で装着手段３２の顎部３１を長孔３４の範囲で移動させて押圧片３２ａと凹削部３０ｂの間隔をゴルフバッグ１内部の隔壁２又は３頂部の厚みに合わせて調節する。
そこで、保持体３０の挿通孔８ａに垂直支持軸１０の下端を僅かに挿通させた状態で押圧片３２ａを隔壁２又は３の頂部に差込み、保持体３０を保持させた状態で垂直支持軸１０を挿通孔８ａの摩擦力に抗して下方に移動させてヘッド保持部１２をドライバーヘッド５より低い位置で且つ最長のアイアンヘッド６よりも低い位置になるよう高さ調節する。
【００３２】
従って、保持体３０の装着手段３２は、押圧片３２ａと凹削部３０ｂの間隔がゴルフバッグ１内部の隔壁２又は３の厚みに対応して調節可能になっているので、各種ゴルフバッグ１隔壁の厚みに対応することができ利用範囲を拡大することができる。
このようにパターヘッド１４は、高さを調整することによってドライバーのヘッド５より低い位置で且つ最長のアイアンヘッド６よりも低い縦方向の空間部位に保持することができるで、パターヘッドの周囲に各種アイアンやドライバーシャフトが密接状態で収納されていても、当該パターやアイアンの出し入れ時に干渉が回避され、クラブ使用上の取扱いを向上することができる。
【００３３】
（第三実施形態）
次に本考案の第三実施形態に係るゴルフバッグ用パター保持具について図５（a）、（ｂ）及び図６を参照して説明する。
図５（a）はパター保持具の平面図、（b）は(a)のＡ−Ａ断面図、図６はパター保持具の分解斜視図である。
図５（a）、（ｂ）及び図６において、本実施形態に係るパター保持具７０は、保持体５０が樹脂成型された所定厚みの矩形部材で構成され、保持体５０の片側面縦方向には挿通孔５１に連通するスリット５２が形成されており、前記スリット５２の一部にはスリット５２間を締結する締結手段が設けられている。
【００３４】
この締結手段（蝶ネジ５５）は、前記スリット５２に直交する孔を設けてスリット５２により分割された一方の孔に通し孔５３を形成すると共に対向する他方の孔にネジ孔５４を形成し、通し孔５３から挿通した蝶ネジ５５をネジ孔５４に螺着した構成となっている。
すなわち、垂直支持軸１０をパター保持具７０の挿通孔５１に挿通してパターのヘッド保持部１２を所望の高さに位置決めし、締結手段である蝶ネジ５５を締め込むことで垂直支持軸１０を保持体５０に強固に締結することができる。
【００３５】
一方、保持体５０上部の他側面から突出した一対の突出部５７ａ，５７ｂには、当該突出部５７ａ，５７ｂを水平に挿通する支軸６４により装着手段６２が搖動可能に軸支されている。
詳しくは、前記装着手段６２は、縦長の帯板上方の両側面に直交して突出する一対の舌片６３ａ、６３ｂを備えており、当該舌片６３ａ、６３ｂは前記保持体５０の上部他側面から突出した一対の突出部５７ａ，５７ｂに前記支軸６４を介して搖動可能に軸支されている。
前記装着手段６２は、前記突出部５７ａ，５７ｂの間を挿通する支軸６４に捩じりコイルバネ６８が外装されており、このコイルバネ６８によって前記装着手段６２の支軸６４から下方の押圧部６２ａが保持体５０の側面に対し押圧付勢されると共に、支軸６４から上方の解除操作部６２ｂを前記コイルバネ６８の付勢力に抗して押圧することによって押圧部６２ａの押圧付勢状態が解除されるように構成されている。
【００３６】
ここで、装着手段６２の組立手順に付き図６を参照して説明する。
先ず、装着手段６２の舌片６３ａ、６３ｂを保持体５０上部の突出部５７ａ，５７ｂ外側面に挿嵌した状態で一方の舌片６３ａから座金６５を介して支軸６４を挿通すると共に、突出部５７ａ，５７ｂ間で形成される凹溝５６内に挿入したコイルバネ６８に支軸６４を挿通する。ここで、装着手段６２の支軸６４から下方の押圧部６２ａはコイルバネ６８によって押圧付勢される。
更に、他方の突出部５７ｂ、舌片６３ｂから挿通した支軸６４の軸端部に座金６５、止めピン６７を装着して装着手段６２の組立が完了する。
【００３７】
次に、パター保持具７０の作用に付き図５（a）、（ｂ）を参照して説明する。
まず、パター保持具７０をゴルフバッグ１内部の隔壁２又は３の頂部に装着するには、装着手段６２の解除操作部６２ｂの操作でコイルバネ６８の付勢力に抗して押圧部６２ａを開放し、この状態で隔壁２又は３の頂部を押圧部６２ａと保持体５０の片側面間に挟持する。
次に、蝶ネジ５５を緩めた状態で垂直支持軸１０を挿通孔５１内で上下に摺動させてパターのヘッド保持部１２の高さを適切な位置に設定し、蝶ネジ５５によりスリット５２を締付けて垂直支持軸１０を圧接し確実に固定する。
このように垂直支持軸１０は、スリット５２間を締付ける締結手段により確実に締着されると共に、保持体５０も装着手段６２がコイルバネ６８によってゴルフバッグ１内の隔壁２又は３に強く圧接挟持されるので、パター保持具７０に重量のある大型ヘッドのパターを保持した際や、ゴルフバッグ１の運搬時に強い衝撃が生じても確実に装着できる。
またヘッド保持部１２は、上記実施形態と同様にパターヘッドを他のアイアンヘッド等との干渉が回避可能な空間部位に保持できるようにしたことは勿論である。
【００３８】
（第四実施形態）
次に本考案の第四実施形態に係るゴルフバッグ用パター保持具について図７及び図８（a）、（ｂ）参照して説明する。
図７はパター保持具の部分斜視図、図８（a）は図７のＡ−Ａ断面図、（ｂ）は図７のＢ矢視図である。
【００３９】
図７及び図８（a）、（b）において、本実施形態に係るパター保持具８０は、パターヘッド１４を支持する垂直支持軸として少なくともゴルフバッグ１の高さに対応する既存の規定長さを有し各ゴルフクラブのシャフトを挿通保持する樹脂製網目状の円筒型をなす市販のクラブプロテクターが使用されている。
このクラブプロテクター８５は、登録商標ネフロンプロテクター（内径；３０ｍｍ、全長：８４５ｍｍ）として市販されている。
【００４０】
このように、パター保持具８０として使用される定尺のクラブプロテクター８５は、ゴルフバッグ１内に挿入して各ゴルフクラブのシャフトを挿入して整列収納するものであるが、前記クラブプロテクター８５より短尺のパターのシャフトを挿入するとパターヘッド１４の首部がクラブプロテクター８５の頂部８５aに懸吊して保持された状態となる。
【００４１】
この状態で保持されたパターヘッド１４は、他のアイアンヘッド６とほぼ同一高さとなりヘッド同士が干渉する位置に密接保持されることからパターヘッド１４の高さを干渉が回避される高さに保持する必要がある。
そこで、本実施形態に係るパター保持具８０では、パターヘッド１４が懸吊保持されるクラブプロテクター８５の頂部８５aをゴルフバッグ１の内部で所望の高さに調整可能に保持するために保持体９０が使用されている。
【００４２】
以下、パター保持具８０を構成する保持体９０に付き詳細に説明する。
保持体９０は、円筒型クラブプロテクター８５を外装すべく円筒状に樹脂成型されて縦方向にスリット９３を形成すると共に、該スリット９３の対向端部には弾力的に掛脱可能な掛止片９４a,９４ｂを夫々備えスリット９３に対向する円筒外周面には装着手段９２が一体形成されている。
更に保持体９０の内周面には、円筒型クラブプロテクター８５外周の網目に係合可能な複数の爪部９０ａが突設している。
【００４３】
上記のように構成されたパター保持具８０は、次のような作用を行う。
先ず、ゴルフバッグ１の内部を区画した隔壁２又は３の上端に装着手段９２を装着することで円筒状の保持体９０が保持されると、保持体９０の内部に上方からクラブプロテクター８５を挿通する。
【００４４】
次に、クラブプロテクター８５の上端部が少なくとも最長アイアンのヘッドより高く且つドライバーヘッドより低い高さに位置したところで保持体のスリット９３を掛止することで掛止片９４ａ,９４ｂ同士を連結する。
これにより保持体９０のスリット９３は互いに引き寄せられるので、保持体９０の内周はクラブプロテクター８５の外周面に圧接して複数の爪部９０aがクラブプロテクター８５の網目に食い込み係合する。
【００４５】
そこで、クラブプロテクター８５にパターシャフトを挿通することで、パターヘッド１４の首部は、クラブプロテクター８５の頂部に掛止されるので最長のアイアンヘッド６より高く且つドライバーヘッド５より低い高さの空間部位になるよう懸吊保持される。
かくしてパター保持具８０は、パターヘッド１４の首部を懸吊保持するクラブプロテクター８５の頂部を他のアイアンヘッド６の高さと異なる空間部位に調整可能に保持することで、他のアイアンヘッド６との干渉を回避することができ、クラブ使用上の取扱いを向上することができる。
【００４６】
（第五実施形態）
次に本考案の第五実施形態に係るゴルフバッグ用パター保持具について図９を参照して説明する。
図９はゴルフバッグ用パター保持具の全体斜視図である。尚、第四実施形態と同一構成部分については同一符号を用いて説明し、詳細説明を省略する。
図９において、本実施形態に係るパター保持具１００は、パターヘッド１４を支持する  特殊長さのクラブプロテクター１０５が使用されている。
【００４７】
このパター保持具１００は、市販されているネフロンプロテクター１０５をパター専用の特殊長さに形成したもので、既存の規定長さＬ２に対し頂部１０５ａまでの全長Ｌ１が少なくとも最長のアイアンヘッド６より高く且つドライバーヘッド５より低い高さとなる長さで形成される。
これによりクラブプロテクター１０５は、ゴルフバッグ１内の隔壁に保持されるための保持体も不要となり、当該クラブプロテクター１０５をゴルフバッグ１内に投入することで市販されている定尺のクラブプロテクター８５と共に整列させて収納することができる。
【００４８】
かくして本実施形態に係るパター保持具１００は、パターシャフト１５を挿通しただけでパターヘッド１４の首部が特殊長さＬ１に形成されたパター専用のクラブプロテクター１０５頂部１０５aに保持される。これによりパターヘッド１４は、他のクラブヘッドとの干渉を回避できる空間部位に保持することができる。
従って、大型のパターヘッド周囲に各種アイアンやドライバーシャフトが密接状態で収納されていても、当該パターヘッド１４は他のアイアンヘッド等との干渉が回避可能な空間部位に位置しているのでアイアンクラブの出し入れ時の障害にならず、クラブ使用上の取扱いを向上することができる。
【符号の説明】
【００４９】
１…ゴルフバッグ、２,３…隔壁、５…ドライバーヘッド、６…アイアンヘッド、８,３０,５０,９０…保持体、８a,５１…挿通孔、９,３２,６２,９２…装着手段、９a…縦溝、１０…垂直支持軸、１２…パターのヘッド保持部、２０,４０,７０,８０,１００…パター保持具、１４…パターヘッド、１５…パターシャフト、１６…保護部材、３０a…ネジ穴、３０b…側面、３１…顎部、３２a…押圧片、３３…ネジ、３４…長孔、３５…ガイド、５２…スリット、５３…通し孔、５４…ネジ孔、５５…蝶ネジ、５７ａ，５７ｂ…突出部、６２ａ…押圧部、６２ｂ…解除操作部、６３ａ、６３ｂ…舌片、６４…支軸、６８…コイルバネ、８５,１０５…クラブプロテクター、８５a,１０５a…頂部、９０a…爪部、９３…スリット、９４a,９４ｂ…掛止片
【図１】
0003201226.tif 000003
【図２】
0003201226.tif 000004
【図３】
0003201226.tif 000005
【図４】
0003201226.tif 000006
【図５】
0003201226.tif 000007
【図６】
0003201226.tif 000008
【図７】
0003201226.tif 000009
【図８】
0003201226.tif 000010
【図９】
0003201226.tif 000011